(57)【要約】【課題】防水性能を確保しつつ端子収容室への挿入を容易にすることのできる防水栓を提供する。【解決手段】収容室４１内に挿入される密着部２２と、密着部２２よりも後ろ側に形成されて収容室４１内に挿入される変形許容部２６とを設け、密着部２２に、内側に膨出して弾性変形することで電線１の外周面に密着する内側接触部２３を含む内周面と、外側に膨出して弾性変形することで収容室４１の内周面に密着する外側接触部２４を含む外周面とを設けるとともに、変形許容部２６を、その径方向の厚みが、密着部２２のうち外側接触部２４が形成された部分の径方向の厚みよりも小さく、かつ、後ろ側に向かうに従って小さくなる形状とする。【選択図】図２
2010225380.tif 000002
【特許請求の範囲】
【請求項１】
電線が挿通可能な略筒状の弾性部材からなり、電線を特定の挿入方向に挿入可能な所定の収容室にこの挿入方向に沿って挿入されて、この収容室の内周面とこの収容室に挿入された前記電線の外周面との間に介在可能な防水栓であって、
前記収容室内に挿入される密着部と、この密着部よりも前記挿入方向後ろ側に形成されて前記収容室内に挿入される変形許容部とを備え、
前記密着部は、内側に膨出してこの密着部の内側に前記電線が挿通された状態で弾性変形することで前記電線の外周面に密着する内側接触部を含む内周面と、外側に膨出してこの密着部が前記収容室に挿入された状態で弾性変形することで前記収容室の内周面に密着する外側接触部を含む外周面とを有し、
前記変形許容部は、その径方向の厚みが、前記密着部のうち前記外側接触部が形成された部分の径方向の厚みよりも小さく、かつ、前記挿入方向の後ろ側に向かうに従って小さくなる形状を有することを特徴とする防水栓。
【請求項２】
請求項１に記載の防水栓であって、
前記変形許容部は、前記挿入方向後ろ側に向かうに従って縮径する外周面を有することを特徴とする防水栓。
【請求項３】
請求項１または２に記載の防水栓であって、
前記変形許容部は、前記挿入方向後ろ側に向かうに従って拡径する内周面を有することを特徴とする防水栓。
【請求項４】
電線の端末に接続される端子と、
前記端子およびこの端子が接続された電線の端末が前記特定の挿入方向で挿入される端子収容室を有するとともに、当該端子収容室に挿入された前記端子をそれぞれ保持する端子保持部を有するコネクタハウジングと、
請求項１から３のいずれかに記載の防水栓とを備え、
前記防水栓の密着部は、前記防水栓の内側に前記端子および電線の端末が挿通されるとともにこの防水栓が前記端子収容室に挿入された状態で、前記端子収容室の内周面と前記電線の外周面との間で弾性変形して、前記外側接触部の外周面が前記端子収容室の内周面に圧接するとともに前記内側接触部の内周面が前記電線の外周面に圧接した状態で前記端子収容室内に収容されており、
前記防水栓の変形許容部は、前記防水栓の内側に前記端子および電線の端末が挿通されるとともにこの防水栓が前記端子収容室に挿入された状態で、前記防水栓から前記挿入方向の反対側に向けて延びる電線が曲げ変形した場合にこの電線に追従して変形可能なように前記端子収容室内に収容されていることを特徴とする防水コネクタ。
【発明の詳細な説明】
【技術分野】
【０００１】
本発明は、コネクタハウジングの端子収容室等の収容室に挿入される防水栓に関するものである。
【背景技術】
【０００２】
従来、防水コネクタ等には、前記端子収容室への浸水を防止するために防水機能を有する防水栓が用いられている。
【０００３】
例えば、特許文献１には、電線が挿通可能な略筒状の防水栓であって、防水コネクタのコネクタハウジングに設けられた端子収容室に挿入されて、この端子収容室に挿通された電線の外周面と端子収容室の内周面との間に配置される防水栓が開示されている。この防水栓は、弾性部材からなり前記電線の外周面と端子収容室の内周面との間で弾性変形し、その内周面が前記電線の外周面に圧接することでその内周面と前記電線の外周面との隙間を密閉してこの隙間からの浸水を抑制するとともに、その外周面が前記端子収容室の内周面に圧接することでその外周面と前記端子収容室の内周面との隙間を密閉してこの隙間からの浸水を抑制する。また、この防水栓の端子収容室への挿入方向の後端部には、この挿入方向と反対方向に向かうに従って径方向の厚さが大きくなるシール用環状突起が設けられており、このシール用環状突起の内周面が電線の外周面に圧接し、このシール用環状突起の外周面が端子収容室の内周面に圧接する。
【先行技術文献】
【特許文献】
【０００４】
【特許文献１】特開平７−３０７１８２号公報
【発明の概要】
【発明が解決しようとする課題】
【０００５】
前記従来の防水栓では、肉厚な前記シール用環状突起が設けられることで端子収容室内に挿入された際の圧縮量が大きくなり防水栓全体の剛性が高くなる。そのため、防水栓から外側に延びる電線が曲げ変形し防水栓の後端部分が変形すると、これより前側の部分がその影響を受けて大きく変形してしまい、この前側の部分においても防水栓と端子収容室の内周面あるいは電線の外周面とが離間して、これら内周面あるいは外周面との隙間が十分に密閉されなくなるおそれがある。また、防水栓を前記収容室に挿入する場合、挿入が進行するに伴って挿入抵抗は増大するが、これに加えて前記従来の防水栓では後ろ側ほど外径が大きくなっており、前記挿入抵抗はより一層増加するという問題がある。
【０００６】
本発明は、このような事情に鑑み、防水性能を確保しつつ端子収容室等の収容室への防水栓の挿入を容易にする防水栓を提供することを目的とする。
【課題を解決するための手段】
【０００７】
前記課題を解決するために、発明者等は、防水栓の後ろ側を比較的変形しやすくすることでこの後ろ側部分の変形がこれよりも前側の部分に与える影響を抑え、これにより防水栓の比較的前側部分において収容室の内周面および電線の外周面とのシール性を確保することに想到し、前記課題を解決するための手段として、電線が挿通可能な略筒状の弾性部材からなり、電線を特定の挿入方向に挿入可能な所定の収容室にこの挿入方向に沿って挿入されて、この収容室の内周面とこの収容室に挿入された前記電線の外周面との間に介在可能な防水栓であって、前記収容室内に挿入される密着部と、この密着部よりも前記挿入方向後ろ側に形成されて前記収容室内に挿入される変形許容部とを備え、前記密着部は、内側に膨出してこの密着部の内側に前記電線が挿通された状態で弾性変形することで前記電線の外周面に密着する内側接触部を含む内周面と、外側に膨出してこの密着部が前記収容室に挿入された状態で弾性変形することで前記収容室の内周面に密着する外側接触部を含む外周面とを有し、前記変形許容部は、その径方向の厚みが、前記密着部のうち前記外側接触部が形成された部分の径方向の厚みよりも小さく、かつ、前記挿入方向の後ろ側に向かうに従って小さくなる形状を有することを特徴とする防水栓を提供する。
【０００８】
本発明によれば、防水性能を確保しつつ前記収容室へ防水栓を挿入する際の挿入抵抗を小さく抑えることができる。
【０００９】
すなわち、本防水栓では、密着部の内周面に内側に膨出して前記電線の外周面に密着可能な内側接触部が設けられているとともに、密着部の外周面に外側に膨出して収容室の内周面に密着可能な外側接触部が設けられており、この内側接触部の電線との密着および外側接触部と収容室との密着によって前記収容室への浸水が抑制される。そして、密着部の後ろ側に設けられた変形許容部において、その径方向の厚みが、前記外側接触部が形成された部分の径方向の厚みよりも小さく、かつ、後端側に向かうほど小さく容易に変形できるようになっているため、防水栓に挿入された電線が曲げられた場合であっても、この電線の曲げに伴う変形許容部の変形がこの変形許容部の前側の前記密着部に与える影響は小さく抑えられ、密着部に設けられている前記内側接触部と電線との密着および外側接触部と収容室との密着はそれぞれ維持される。このことは防水栓の防水性能を確保する。
【００１０】
しかも、変形許容部において、防水栓の径方向の厚みは後方に向かうほど小さく変形容易となっているため、収容室内への防水栓の挿入後期に、その挿入抵抗が増大するのを抑制することができ、その分防水栓の収容室への挿入が容易になる。
【００１１】
また、本発明において、前記変形許容部は、前記挿入方向後ろ側に向かうに従って縮径する外周面を有するのが好ましい。
【００１２】
このようにすれば、前記密着部のうち特に外周面側において前記変形許容部の変形に伴って生じる変形を小さく抑えることができ、前記外側接触部と前記収容室との密着を維持することができる。
【００１３】
また、本発明において、前記変形許容部は、前記挿入方向後ろ側に向かうに従って拡径する内周面を有するのが好ましい。
【００１４】
このようにすれば、前記密着部のうち特に内周面側において前記変形許容部の変形に伴って生じる変形を小さく抑えることができ、前記内側接触部と前記電線との密着を維持することができる。
【００１５】
また、本発明は、電線の端末に接続される端子と、前記端子およびこの端子が接続された電線の端末が前記特定の挿入方向で挿入される端子収容室を有するとともに、当該端子収容室に挿入された前記端子をそれぞれ保持する端子保持部を有するコネクタハウジングと、前記防水栓とを備え、前記防水栓の密着部は、前記防水栓の内側に前記端子および電線の端末が挿通されるとともにこの防水栓が前記端子収容室に挿入された状態で、前記端子収容室の内周面と前記電線の外周面との間で弾性変形して、前記外側接触部の外周面が前記端子収容室の内周面に圧接するとともに前記内側接触部の内周面が前記電線の外周面に圧接した状態で前記端子収容室内に収容されており、前記防水栓の変形許容部は、前記防水栓の内側に前記端子および電線の端末が挿通されるとともにこの防水栓が前記端子収容室に挿入された状態で、前記防水栓から前記挿入方向の反対側に向けて延びる電線が曲げ変形した場合にこの電線に追従して変形可能なように前記端子収容室内に収容されていることを特徴とする防水コネクタを提供する。
【発明の効果】
【００１６】
以上のように、本発明によれば、防水性能を確保しつつ収容室への挿入が容易になる防水栓を提供することができる。
【図面の簡単な説明】
【００１７】
【図１】本発明の第１の実施の形態に係る防水コネクタの概略断面図である。
【図２】本発明の第１の実施の形態に係る防水栓の概略断面図である。
【図３】図１の部分拡大である。
【図４】電線が曲げ変形したときの様子を説明するための説明図である。
【図５】本発明の第２の実施の形態に係る防水栓の概略断面図である。
【図６】図５に示す防水栓を端子収容室に挿入した状態を示す概略断面図である。
【図７】本発明の第３の実施の形態に係る防水栓の概略断面図である。
【図８】図７に示す防水栓を端子収容室に挿入した状態を示す概略断面図である。
【発明を実施するための形態】
【００１８】
本発明の好ましい実施の形態を図面を参照しながら説明する。
【００１９】
図１に、本発明の第１の実施形態に係る防水コネクタ１０を示す。この図に示すように、本防水コネクタ１０は、コネクタハウジング４０と、電線１が接続された端子６と、防水栓２０とを有している。
【００２０】
前記端子６は、図１に示すように、相手側端子金具と接続される電気接触部６ａと、電線１に圧着されるバレル６ｃと、後述するコネクタハウジング４０の端子保持部４２と係合する被係止部６ｂとを有している。
【００２１】
前記電線１は、導体２とこの導体２を被覆する絶縁被覆４とを備えている。この電線１は、前記バレル６ｃがこの絶縁被覆４に圧着されることで前記端子６に固定される。
【００２２】
前記コネクタハウジング４０は、前記電線１が接続された端子６を相手方コネクタと接続可能なように保持するためのものである。このコネクタハウジング４０には、端子収容室（収容室）４１が設けられている。
【００２３】
前記端子収容室４１は、前記端子６を収容するためのものであり、この端子収容室４１には、前記防水栓２０内に挿通された端子６がその軸方向に沿って後方（図１の右側）から挿入される。この端子収容室４１の下方には、端子保持部４２が設けられている。そして、この端子収容室４１に挿入された端子６は、その下方に設けられた前記被係止部６ｂと前記端子保持部４２とが係合することによりこの端子収容室４１内に保持される。
【００２４】
前記防水栓２０は、前記端子収容室４１内への浸水を抑止するためのものである。この防水栓２０は、略円筒状の弾性部材であって、その内側には中心軸に沿って貫通する電線挿通孔２１が形成されている。この防水栓２０は、前記電線挿通孔２１に前記電線１が挿通された状態で前記端子収容室４１内に挿入される。そして、防水栓２０のうち後述する密着部２２およびテーパ部２６が電線１の外周面および端子収容室４１の内周面に密着することで、端子収容室４１への浸水を抑止する。
【００２５】
前記防水栓２０は、互いに一体に形成された密着部２２とテーパ部２６と取付け部２７とフランジ部２８とからなる。
【００２６】
前記密着部２２は、前述のように前記電線１の外周面および前記端子収容室４１の内周面に密着する部分である。
【００２７】
前記密着部２２の内周面には、内側に膨出する複数の内側リップ部（内側接触部）２３が形成されている。本実施形態では、防水栓２０および端子６の挿入方向（以下端子挿入方向という）前側から順にこの端子挿入方向に沿って所定の間隔をおいて３つの内側リップ部２３ａ，２３ｂ，２３ｃが形成されている。これら内側リップ部２３ａ，２３ｂ，２３ｃは、環状を有し密着部２２の内周面全周にわたって膨出している。
【００２８】
前記密着部２２の内径は電線１の外径よりも小さく、前記電線１が前記電線挿通孔２１に挿通された状態においてこの密着部２２は弾性変形し電線１の外周面に密着する。特に、前記内側リップ部２３ａ，２３ｂ，２３ｃの内径は電線１の外径よりも十分に小さく、これら内側リップ部２３ａ，２３ｂ，２３ｃは図３の鎖線で示した状態から大きく弾性変形して、その各内周面が電線１の外周面に圧接する。
【００２９】
このようにして、前記密着部２２は、その内周面、特に前記各内側リップ部２３ａ，２３ｂ，２３ｃの内周面がそれぞれ電線１の外周面に圧接してこの外周面と密着することで、各内周面と電線１の外周面との隙間を密閉して、この隙間から前記端子収容室４１への浸水を抑止する。
【００３０】
前記密着部２２の外周面には、外側に膨出する複数の外側リップ部（外側接触部）２４が形成されている。本実施形態では、密着部２２のうち前記内側リップ部２３ａ，２３ｂ，２３ｃが形成されている部分とほぼ同じ部分の外周面に、端子挿入方向の前側から順にこの端子挿入方向に沿って所定の間隔をおいて２つの外側リップ部２４ａ，２４ｂが形成されている。これら外側リップ部２４ａ，２４ｂは、環状を有し密着部２２の外周面全周にわたって膨出している。これら外側リップ部２４ａ，２４ｂの外径は前記端子収容室４１の内径よりも大きく、前記電線１が前記電線挿通孔２１に挿通された状態で防水栓２０が前記端子収容室４１内に挿入された状態においてこれら外側リップ部２４ａ，２４ｂは図３の鎖線で示した状態から弾性変形し、これら外側リップ部２４ａ，２４ｂの外周面は前記端子収容室４１の内周面に圧接する。なお、前記内側リップ部２３ａ，２３ｂ，２３ｃと外側リップ部２４ａ，２４ｂとを同じ領域に設ける必要はなく、外側リップ部２４ａ，２４ｂを前記内側リップ２３ａよりも前方または後方に設けてもよい。そして、これら内側リップ部２３ａ，２３ｂ，２３ｃおよび外側リップ部２４ａ，２４ｂが設けられている部分が前記密着部２２として機能する。
【００３１】
このようにして、前記密着部２２は、前記外側リップ部２４ａ，２４ｂの外周面と前記端子収容室４１の内周面とが密着することで、この外周面と端子収容室４１の内周面との隙間を密閉して、この隙間から前記端子収容室４１への浸水を抑止する。本実施形態では、前側の外側リップ部２４ａの外径の方が後側の外側リップ部２４ｂの外径よりも大きくなっており、より前側部分において密着部２２と端子収容室４１の内周面との密着力が高められている。
【００３２】
前記テーパ部２６は、前記密着部２２の端子挿入方向の後ろ側に形成された部分であって、電線１の曲げに伴って容易に変形し、防水栓２０に加えられた力を吸収する部分である。
【００３３】
前記テーパ部２６は、端子挿入方向の後端側に向かうほど径方向の厚みが小さくなる形状を有している。本実施形態では、テーパ部２６の内周面２６ｂの径が一定に保たれている一方、テーパ部２６の外周面２６ａが後端側に向かうほど縮径する形状を有しており、これにより前記径方向の厚みが後端側に向かうほど小さくなるよう構成されている。前記テーパ部２６の外周面２６ａは、前端部においてその径が最も大きいが、その値は前記外側リップ部２４ａ，２４ｂの外径よりも小さく、テーパ部２６は全体としてその厚みが前記外側リップ部２４ａが形成された部分の厚みよりも小さくなっている。ここで、このテーパ部２６の外周面２６ａの径は、前記外側リップ部２４ａ，２４ｂの外径よりも小さく設定されているとはいえ前記端子収容室４１の内径よりは大きく、テーパ部２６は、防水栓２０が前記端子収容室４１内に挿入された状態において図３の鎖線で示す状態から弾性変形して、その外周面２６ａが端子収容室４１の内周面に圧接する。ただし、前述のように、このテーパ部２６の径方向の厚みは前記外側リップ２４ａ，２４ｂが形成された部分の厚みよりも小さく、防水栓２０が前記端子収容室４１に挿入された状態において弾性変形する量は前記外側リップ部２４ａ，２４ｂが形成された部分よりも小さい。そのため、このテーパ部２６は、前記密着部２２に比べて容易に変形することができる。
【００３４】
ここで、本発明に係る「変形許容部」は、このテーパ部２６のうち前記端子収容室４１内に挿入される部分である。本実施形態ではこのテーパ部２６のうち前記端子収容室４１内に挿入される部分に加えて端子収容室４１から外側にはみ出している部分も後ろ側に向かうほど径方向の厚みが小さい前記テーパ部２６に含まれているが、この端子収容室４１から外側にはみ出している部分の具体的形状は後述するように限定されない。また、この端子収容室４１から外側の部分は省略も可能である。
【００３５】
また、前記テーパ部２６の内径は電線１の外径よりも小さく、前記電線１が前記電線挿通孔２１に挿通された状態においてこのテーパ部２２は図３の鎖線で示した状態から弾性変形し電線１の外周面に密着する。このようにして、このテーパ部２６においても、その内周面が電線１の外周面に圧接してこの外周面と密着することで、各内周面と電線１の外周面との隙間は密閉され、この隙間から前記端子収容室４１への浸水は抑止される。
【００３６】
前記取付け部２７は、前記密着部２２の端子挿入方向前側の部分であって、前記端子６のバレル６ｃが圧着される部分である。この取付け部２７には、図１および図４に示すように、その外周面に沿って前記バレル６ｃが圧着される。
【００３７】
前記フランジ部２８は、前記取付け部２７の端子挿入方向前側に設けられた部分である。このフランジ部２８は、前記取付け部２７よりも外側に膨出する形状を有しており、前記バレル６ｃを取り付ける際のバレル６ｃの位置決めに用いられる。
【００３８】
なお、前記取付け部２７およびフランジ部２８の内径も、前記電線１の外径より小さく、これら取付け部２７およびフランジ部２８の内周面も前記電線１の外周面に密着する。
【００３９】
次に、以上の構成要素を組み付けて防水コネクタ１０を組み立てる手順について説明する。
【００４０】
まず、電線１を前記防水栓２０の電線挿通孔２１に挿入する。
【００４１】
具体的には、電線１の前端部分で前記テーパ部２６を拡径しつつ電線１を挿入する。ここで、前述のように、このテーパ部２６は変形容易であり電線１の挿入に応じて容易に拡径する。そのため、電線１をこじ入れることによって防水栓２０を傷つける可能性の高いこの挿入初期において、電線１をスムーズに挿入することができ、防水栓２０の損傷が抑制される。電線１がテーパ部２６を通過した後は、電線１の前端部分で前記各内側リップ部２３ａ，２３ｂ，２３ｃを拡径しつつ電線１をさらに前方に挿入する。そして、各内側リップ部２３ａ，２３ｂ，２３ｃを通過した後は、電線１の前端部分でさらに前記取付け部２７およびフランジ部２８を拡径しつつこの電線１を前方に挿入して、電線１の先端を防水栓２０の前方に引き出す。
【００４２】
この状態において、前記防水栓２０は、その復元力により前記電線挿通孔２１を縮径する方向に変形しており、防水栓２０の内周面は前記電線１の外周面に密着している。特に、前記密着部２２において、各内側リップ部２３ａ，２３ｂ，２３ｃの内周面が十分な密着力で電線１の外周面に密着している。
【００４３】
次に、前記防水栓２０の前方に引き出された電線１の先端部分において、前記絶縁被覆４の端末を除去して前記導体２の端末を露出させる。
【００４４】
次に、前記端子６のバレル６ｃを前記電線１が挿通された防水栓２０の前記取付け部２７の外周面に巻きつけ、このバレル６ｃを取付け部２７に圧着する。このとき、前記フランジ部２８と前記密着部２２との間に前記バレル６ｃを巻きつけるようにすれば、バレル６ｃの位置決めが容易になる。前記圧着により、電線１および防水栓２０に端子６が圧着され、防水栓２０には電線１が前記電線挿通孔２１に挿通された状態で固定される。
【００４５】
最後に、電線１と防水栓２０とが圧着された端子６を、前記端子６の被係止部６ｂと前記端子収容室４１内の端子保持部４２とが係合するまで前記コネクタハウジング４０の端子収容室４１に挿入し、この被係止部６ｂと端子保持部４２とを係合することで端子６をコネクタハウジング４０に固定する。
【００４６】
具体的には、前記防水栓２０を前記端子収容室４１に挿入する際には、防水栓２０の外径を端子収容室４１の内周面によって徐々に縮径しつつ挿入していく。ここで、防水栓２０の挿入が進行していくと防水栓２０と端子収容室４１の内周面との接触面積が大きくなることで、挿入抵抗は増大する。しかしながら、本防水栓２０では、前記テーパ部２６において防水栓２０の径方向の厚みが後端に向かうほど小さく変形容易となっているため、このテーパ部２６を変形させつつ挿入することで挿入抵抗の増大が抑制されるので、防水栓２０は前記端子収容室４１にスムーズに挿入される。
【００４７】
この状態において、防水栓２０は、その復元力によりその外周面が前記端子収容室４１の内周面に密着している。特に、前記密着部２２の外側リップ部２４ａ，２４ｂの外周面が十分な密着力で前記端子収容室４１の内周面に密着している。そして、このように防水栓２０の外周面と端子収容室４１の内周面との間の隙間が密閉されると、この隙間から前記端子収容室４１への浸水が抑止される。一方、防水栓２０の内周面は電線１の外周面に密着しており、この防水栓２０の内周面と電線１の外周面との隙間が密閉されているので、この隙間から前記端子収容室４１への浸水が抑止される。
【００４８】
以上のようにして組み立てられた防水コネクタ１０に対して、図１および図４に示すように、電線１に曲げ方向の力が作用すると、電線１はこの曲げ方向において端子収容室４１の内周面４１と近接する方向に変位し、防水栓２０は電線１と端子収容室４１との間で圧縮変形する。ここで、前述のように、防水栓２０は、前記テーパ部２６の径方向の厚みが前記外側リップ２４ａ，２４ｂが形成された部分の厚みよりも小さいことで、このテーパ部２６において比較的容易に変形する。特に、前記電線１の変位量は、コネクタハウジング４０の外側すなわち端子挿入方向の後方に向かうに従って大きい。これに対して、本防水栓２０は、前述のように前記テーパ部２６においてその径方向の厚みが端子挿入方向の後方に向かうに従って小さく設定されている。そのため、このテーパ部２６では、端子挿入方向の後方に向かうに従って増大する電線１の変位量に伴って防水栓２０の圧縮量が増大するのが抑制され、電線１の変位量が大きい後端においても容易に変形する。このようにして、本防水コネクタ１０では、テーパ部２６が容易に変形し、電線１に加えられた力がこのテーパ部２６の変形によって吸収されることで、電線１の曲げ変形が前記密着部２２へ与える影響は小さく抑えられる。そして、これにより、前記密着部２２の前記電線１の外周面および前記端子収容室４１の内周面への密着は維持され、この密着部２２と電線１の外周面および端子収容室４１の内周面との隙間からの浸水は抑止される。本実施形態では、テーパ部２６の外周面２６ａが後端側に向かうほど縮径しており、この外周面２６ａ側において特に前記圧縮量の増大が抑制され容易に変形するので、前記密着部２２の外周面ひいては前記外側リップ部２４ａ，２４ｂへの影響が小さく抑えられてこれら外側リップ２４ａ，２４ｂの外周面と端子収容室４１の内周面との隙間からの浸水がより確実に抑止される。
【００４９】
ここで、前記テーパ部２０の径方向の厚みを後端側に向かうほど小さくするための具体的構造は前記に限らない。
【００５０】
例えば、図５および図６に示すような防水栓１２０でもよい（第２の実施形態）。この防水栓１２０では、テーパ部１２６の外周面１２６ａの外径が一定に保たれている一方、テーパ部１２６の内周面１２６ｂが後端側に向かうほど拡径する形状を有しており、これによりテーパ部１２６の径方向の厚みが後端側に向かうほど小さくなるよう構成されている。この防水栓１２０では、電線１の曲げ変形時に、特に内周面１２６ｂ側においてその圧縮量の増大が抑制されるので、テーパ部１２６の前側に設けられた密着部１２２の内周面ひいてはこの密着部１２２に設けられる内側リップ部１２３ａ，１２３ｂ、１２３ｃへの影響が小さく抑えられて、これら内側リップ部１２３ａ，１２３ｂ、１２３ｃの内周面の電線１の外周面への密着力がより確実に確保される。
【００５１】
また、この防水栓１２０では、前記内側リップ部１２３ａ，１２３ｂ，１２３ｃの内径も後端側に向かうに従って大きくなっており、前記テーパ部１２６に加えて前記密着部１２２の後側部分が変形することで、密着部１２２の前側部分すなわち内側リップ部１２３ａ，１２３ｂ、１２３ｃのうちより前側の内側リップ部１２３ａおよび外側リップ部１２４ａ，１２４ｂのうちより前側の外側リップ部１２４ａと電線１および端子収容室４１とのシール性が確保される。
【００５２】
また、図７および図８に示すような防水栓２２０でもよい（第３の実施形態）。この防水栓２２０では、テーパ部１２６の外周面２２６ａが後端側に向かうほど縮径するとともに、テーパ部１２６の内周面１２６ｂが後端側に向かうほど拡径する形状を有しており、これによりテーパ部１２６の径方向の厚みが後端側に向かうほど小さくなるよう構成されている。
【００５３】
また、この防水栓２２０では、前記外側リップ部２２３ａ，２２３ｂの外径も後端側に向かうに従って小さくなっており、前記テーパ部１２６に加えて前記密着部１２２の後側部分が容易に変形することで、密着部１２２の前側部分すなわち内側リップ部１２３ａ，１２３ｂ、１２３ｃのうちより前側の内側リップ部１２３ａおよび外側リップ部１２４ａ，１２４ｂのうちより前側の外側リップ部１２４ａと電線１および端子収容室４１とのシール性が確保される。
【００５４】
また、前述のように、本発明に係る変形許容部は、前記テーパ部２６のうち前記密着部２２の後側であって前記端子収容室４１内に挿入される部分であり、本発明では前記テーパ部２６のうち前記端子収容室４１から外側の部分の形状は限定されない。また、端子収容室４１から外側の部分が省略されていてもよい。例えば、前記図７に示す防水栓２２０のように、前記テーパ部２２６の後端に端子収容室４１の内径よりも大きな外径をもつ、つば部２２９が設けられていてもよい。
【００５５】
また、前記防水栓２０は前記のような防水コネクタ１０以外にも適用可能である。
【００５６】
また、前記内側リップ部２３の個数や具体的形状は前記に限らない。
【００５７】
さらに、防水コネクタ１０の組み付け方法は前記に限らない。
【符号の説明】
【００５８】
１  電線
６  端子
１０  防水コネクタ
２０  防水栓（第１実施形態）
２１  電線挿通孔
２２  密着部
２３  内側リップ部（内側接触部）
２４  外側リップ部（外側接触部）
２６  テーパ部
４０  コネクタハウジング
４１  端子収容室（収容室）
１２０  防水栓（第２実施形態）
２２０  防水栓（第３実施形態）
【図１】
2010225380.tif 000003
【図２】
2010225380.tif 000004
【図３】
2010225380.tif 000005
【図４】
2010225380.tif 000006
【図５】
2010225380.tif 000007
【図６】
2010225380.tif 000008
【図７】
2010225380.tif 000009
【図８】
2010225380.tif 000010